【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
ピクチャを符号化する方法であって、
ピクチャを受信すること、
結果として生じる変換済みの輝度Ｖ（Ｌ）を求めるために、前記ピクチャの画素の輝度（Ｌ）にパラメータ化された伝達関数を適用すること、
前記結果として生じる変換済みの輝度Ｖ（Ｌ）を符号化すること
を含み、
前記パラメータ化された伝達関数は、
【数１】
2018506938.tif 000001
に基づき、この伝達関数をモデリングするために５つのパラメータｓ、ｎ、ｃ、ｔ、及びｍに基づいて調節され、ｓ、ｎ、ｃ、及びｔはゼロとは異なる、
方法。
【請求項２】
前記パラメータ化された伝達関数が
【数２】
2018506938.tif 000002
に基づき、２つの他のパラメータａ及びｂに基づいて調整される、請求項１に記載の方法。
【請求項３】
前記パラメータのうちの１つのパラメータは、前記パラメータ化された伝達関数が、前記輝度Ｌの最小値及び前記輝度Ｌの最大値の群から選択される少なくとも１つに基づいてＶ（Ｌ）の所望の値を決定することを可能にする、請求項１又は２に記載の方法。
【請求項４】
前記輝度（Ｌ）をトーンマッピングすることを更に含む、請求項１乃至３の何れか一項に記載の方法。
【請求項５】
前記パラメータ化された関数が非線形のエンドツーエンド挙動を有する、請求項１乃至４の何れか一項に記載の方法。
【請求項６】
前記パラメータを符号化し、前記符号化済みのパラメータをビットストリーム内でシグナリングすることを更に含む、請求項１乃至５の何れか一項に記載の方法。
【請求項７】
前記シグナリングが、ピクチャパラメータセット（ＰＰＳ）、シーケンスパラメータセット（ＳＰＳ）、付加拡張情報（ＳＥＩ）メッセージ、ビデオユーザビリティ情報（ＶＵＩ）、全米家電協会（ＣＥＡ）メッセージ、及びヘッダの少なくとも１つに含まれる少なくとも１つの構文要素を使用して行われる、請求項６に記載の方法。
【請求項８】
少なくともピクチャを符号化する機器であって、
結果として生じる変換済みの輝度Ｖ（Ｌ）を求めるために前記ピクチャの輝度（Ｌ）にパラメータ化された伝達関数を適用し、前記結果として生じる変換済みの輝度Ｖ（Ｌ）を符号化するように構成された符号器
を含み、
前記パラメータ化された伝達関数は、
【数３】
2018506938.tif 000003
に基づき、前記伝達関数をモデリングするために５つのパラメータｓ、ｎ、ｃ、ｔ、及びｍに基づいて調節され、ｓ、ｎ、ｃ、及びｔはゼロとは異なる、
機器。
【請求項９】
符号化ピクチャを復号する方法であって、
前記符号化ピクチャを受信することと、
復号済みのピクチャを求めるために、前記符号化ピクチャを復号することと、
輝度（Ｌ）を求めるために前記復号済みのピクチャにパラメータ化された伝達関数を適用すること
を含み、
前記パラメータ化された伝達関数は、
【数４】
2018506938.tif 000004
に基づき、この伝達関数をモデリングするために５つのパラメータｓ、ｎ、ｃ、ｔ、及びｍに基づいて調節され、ｓ、ｎ、ｃ、及びｔはすべてゼロとは異なる、
方法。
【請求項１０】
前記パラメータ化された伝達関数が、
【数５】
2018506938.tif 000005
に基づき、２つの他のパラメータａ、及びｂに基づいて調整される、請求項９に記載の方法。
【請求項１１】
前記パラメータ化された関数が非線形のエンドツーエンド挙動を有する、請求項９又は１０に記載の方法。
【請求項１２】
前記パラメータ化された関数が逆トーンマッピングを行う、請求項９乃至１１の何れか一項に記載の方法。
【請求項１３】
前記パラメータ化された伝達関数を表す情報を受信することを更に含む、請求項９乃至１２の何れか一項に記載の方法。
【請求項１４】
前記受信される情報が、ピクチャパラメータセット（ＰＰＳ）、シーケンスパラメータセット（ＳＰＳ）、付加拡張情報（ＳＥＩ）メッセージ、ビデオユーザビリティ情報（ＶＵＩ）、全米家電協会（ＣＥＡ）メッセージ、及びヘッダの少なくとも１つに含まれる、請求項１３に記載の方法。
【請求項１５】
少なくとも符号化ピクチャを復号する機器であって、
復号済みのピクチャを求めるために前記符号化ピクチャを復号し、輝度（Ｌ）を求めるために前記復号済みのピクチャにパラメータ化された伝達関数を適用するように構成された復号器
を含み、
前記パラメータ化された伝達関数は、
【数６】
2018506938.tif 000006
に基づき、この伝達関数をモデリングするために５つのパラメータｓ、ｎ、ｃ、ｔ、及びｍに基づいて調節され、ｓ、ｎ、ｃ、及びｔはすべてゼロとは異なる、
機器。
【手続補正２】
【補正対象書類名】明細書
【補正対象項目名】０３５４
【補正方法】変更
【補正の内容】
【０３５４】
本発明は、符号化及び復号の上記の方法をそれぞれ実行するように適合される符号化及び復号のための機器にも関する。
［付記１］
ピクチャを符号化するための方法であって、
ピクチャを受信すること、
前記ピクチャの輝度（Ｌ）にパラメータ化された伝達関数（１０２、２０４、６０３）を適用し、結果として生じる変換済みのＶ（Ｌ）を求めること、
前記結果として生じるＶ（Ｌ）を符号化すること
を含み、
複数の伝達関数の１つをモデリングするために前記パラメータ化された伝達関数が複数のパラメータに基づいて調節される、
方法。
［付記２］
前記パラメータ化された伝達関数が
【数１】
2018506938.tif 000007
に基づき、ｃ、ｍ、ｓ、ｎ、ｔ、ａ、ｂはパラメータであり、Ｖは符号語である、付記１に記載の方法。
［付記３］
前記パラメータ化された伝達関数が
【数２】
2018506938.tif 000008
に基づき、ｃ、ｍ、ｋ、ｓ、ｎ、ｔはパラメータであり、Ｖは符号語である、付記１に記載の方法。
［付記４］
前記パラメータ化された伝達関数が
【数３】
2018506938.tif 000009
に基づき、ｓ、ｔ、ｃ、ｎ、ｍ、ｋ、ａ、及びｂはパラメータであり、Ｖは符号語である、付記１に記載の方法。
［付記５］
前記パラメータ化された伝達関数が
【数４】
2018506938.tif 000010
に基づき、ｓ、ｎ、ｃ、ｔ、及びｍはパラメータである、付記１に記載の方法。
［付記６］
前記パラメータ化された伝達関数が
【数５】
2018506938.tif 000011
に基づき、ｓ、ｎ、ｃ、及びｔはパラメータである、付記１に記載の方法。
［付記７］
前記複数のパラメータの或るパラメータは、前記パラメータ化された伝達関数が、前記輝度Ｌの最小値及び前記輝度Ｌの最大値の群から選択される少なくとも１つに基づいてＶ（Ｌ）の所望の値を決定することを可能にする、付記１に記載の方法。
［付記８］
前記輝度（Ｌ）をトーンマッピングすることを更に含む、付記１乃至７の何れか一項に記載の方法。
［付記９］
前記パラメータ化された関数が非線形のエンドツーエンド挙動を有する、付記１に記載の方法。
［付記１０］
前記パラメータ化された伝達関数を表す情報をシグナリングすることを更に含む、付記１に記載の方法。
［付記１１］
前記パラメータを符号化し、前記符号化済みのパラメータをビットストリーム内でシグナリングすることを更に含む、付記１に記載の方法。
［付記１２］
１組の規定値に基づく前記パラメータのインジケータをビットストリーム内でシグナリングすることを更に含む、付記１に記載の方法。
［付記１３］
前記シグナリングが、ピクチャパラメータセット（ＰＰＳ）、シーケンスパラメータセット（ＳＰＳ）、付加拡張情報（ＳＥＩ）メッセージ、ビデオユーザビリティ情報（ＶＵＩ）、全米家電協会（ＣＥＡ）メッセージ、及びヘッダの少なくとも１つに含まれる少なくとも１つの構文要素を使用して行われる、付記１乃至１２の何れか一項に記載の方法。
［付記１４］
前記輝度が、ＲＧＢ、Ｙ、線形ＲＧＢの線形結合、非線形ＲＧＢの線形結合であるルマ、及び非線形輝度の群から選択される少なくとも１つである、付記１に記載の方法。
［付記１５］
少なくとも或るカラーチャネルを決定することを更に含み、前記少なくとも或るカラーチャネルについて前記輝度が決定される、付記１に記載の方法。
［付記１６］
Ｎ個のカラーチャネルの１つ又は複数について前記輝度が決定される、付記１に記載の方法。
［付記１７］
少なくともピクチャを符号化するための機器であって、
前記ピクチャの輝度（Ｌ）にパラメータ化された伝達関数を適用し、結果として生じる変換済みのＶ（Ｌ）を求め、前記結果として生じるＶ（Ｌ）を符号化するように構成される符号器（６００、８００）
を含み、
複数の伝達関数の１つをモデリングするために前記パラメータ化された伝達関数が複数のパラメータに基づいて調節される、
機器。
［付記１８］
符号化ピクチャを復号するための方法であって、
前記符号化ピクチャを受信することと、
前記符号化ピクチャを復号して復号済みのピクチャを求めることと、
前記復号済みのピクチャにパラメータ化された伝達関数（４０３、５０５、７０６）を適用して輝度（Ｌ）を求めることであって、前記パラメータ化された伝達関数は複数のパラメータに基づく、輝度（Ｌ）を求めることと
を含み、
複数の伝達関数の１つをモデリングするために前記パラメータ化された伝達関数が前記複数のパラメータに基づいて調節される、
方法。
［付記１９］
前記パラメータ化された伝達関数が
【数６】
2018506938.tif 000012
に基づき、ｃ、ｍ、ｓ、ｎ、ｔ、ａ、ｂはパラメータであり、Ｖは符号語である、付記１８に記載の方法。
［付記２０］
前記パラメータ化された伝達関数が
【数７】
2018506938.tif 000013
に基づき、ｃ、ｍ、ｋ、ｓ、ｎ、ｔはパラメータであり、Ｖは符号語である、付記１８に記載の方法。
［付記２１］
前記パラメータ化された伝達関数が
【数８】
2018506938.tif 000014
に基づき、ｓ、ｔ、ｃ、ｎ、ｍ、ｋ、ａ、及びｂはパラメータであり、Ｖは符号語である、付記１８に記載の方法。
［付記２２］
前記パラメータ化された伝達関数が
【数９】
2018506938.tif 000015
に基づき、Ｖｍａｘ、ｕ、及びｎはパラメータである、付記１８に記載の方法。
［付記２３］
前記パラメータｕ及びｎを決定するために最適化アルゴリズムが利用される、付記１８に記載の方法。
［付記２４］
前記パラメータｕ及びｎの値が、輝度／符号語の対（Ｌｉ，Ｖｉ）に基づく基準曲線に基づいて決定される、付記２３に記載の方法。
［付記２５］
前記パラメータｕ及びｎの前記値が、前記輝度／符号語の対（Ｌｉ，Ｖｉ）に不均一な重みを加えることによって決定される、付記２４に記載の方法。
［付記２６］
前記パラメータ化された伝達関数が
【数１０】
2018506938.tif 000016
に基づき、ｃ、ｍ、ｓ、ｔ、及びｎはパラメータである、付記１８に記載の方法。
［付記２７］
前記パラメータ化された伝達関数が
【数１１】
2018506938.tif 000017
に基づき、ｃ、ｍ、ｓ、ｔ、及びｎはパラメータであり、Ｍは定数である、付記１８に記載の方法。
［付記２８］
前記パラメータ化された伝達関数が
【数１２】
2018506938.tif 000018
に基づき、ｃ、ｓ、ｔ、及びｎはパラメータである、付記１８に記載の方法。
［付記２９］
前記パラメータ化された伝達関数が
【数１３】
2018506938.tif 000019
に基づき、ｃ、ｓ、ｔ、及びｎはパラメータであり、Ｍは定数である、付記１８に記載の方法。
［付記３０］
前記複数のパラメータの或るパラメータは、前記パラメータ化された伝達関数が、符号語Ｖの最小値及び前記符号語Ｖの最大値の群から選択される少なくとも１つに基づいて前記輝度Ｌの所望の値を決定することを可能にする、付記１８に記載の方法。
［付記３１］
前記パラメータ化された関数が非線形のエンドツーエンド挙動を有する、付記１８に記載の方法。
［付記３２］
前記パラメータ化された関数が逆トーンマッピングを行う、付記１８に記載の方法。
［付記３３］
前記パラメータ化された伝達関数を表す情報を受信することを更に含む、付記１８に記載の方法。
［付記３４］
前記受信される情報が、ピクチャパラメータセット（ＰＰＳ）、シーケンスパラメータセット（ＳＰＳ）、付加拡張情報（ＳＥＩ）メッセージ、ビデオユーザビリティ情報（ＶＵＩ）、全米家電協会（ＣＥＡ）メッセージ、及びヘッダの少なくとも１つに含まれる、付記１８に記載の方法。
［付記３５］
前記輝度が、ＲＧＢ、Ｙ、線形ＲＧＢの線形結合、非線形ＲＧＢの線形結合であるルマ、及び非線形輝度の群から選択される少なくとも１つである、付記１８に記載の方法。
［付記３６］
少なくとも或るカラーチャネルを決定することを更に含み、前記少なくとも或るカラーチャネルについて前記輝度が決定される、付記１８に記載の方法。
［付記３７］
少なくとも符号化ピクチャを復号するための機器であって、
前記符号化ピクチャを復号して復号済みのピクチャを求め、前記復号済みのピクチャにパラメータ化された伝達関数を適用して輝度（Ｌ）を求めるように構成される復号器（６００、８００）であって、前記パラメータ化された伝達関数は複数のパラメータに基づく、復号器（６００、８００）を含み、
複数の伝達関数の１つをモデリングするために前記パラメータ化された伝達関数が複数のパラメータに基づいて調節される、
機器。